(57)【特許請求の範囲】
【請求項１】
メインデータベースを有し、商品またはサービスの受注を受け付け、受け付けたデータを上記メインデータベースに登録するメインサーバと、
ローカルデータベースを有し、上記メインサーバとネットワークを介して通信可能に接続され、あらかじめ決められた少なくとも一つのクライアントからの商品またはサービスの注文を受け付ける少なくとも一つのローカルサーバと、
あらかじめ決められたローカルサーバとローカルネットワークを介して通信可能に接続された少なくとも一つのクライアント側通信端末と、
を有し、
上記ローカルサーバは、
クライアント側通信端末から個人情報も含めて商品またはサービスの注文を受け付ける際、上記クライアント側通信端末から送信されて入力されるクライアントの個人情報が上記ローカルデータベースに登録されているか否かを判定し、登録されていない場合は未登録のクライアントとしてユーザ登録画面を出してユーザ登録により上記ローカルデータベースへの保管を行って、入力されるクライアントの個人情報を全て管理し、
クライアントからの注文の内容を上記ローカルデータベースに蓄積し、あらかじめ決められた時期に上記ローカルデータベースに蓄積された受注履歴を集計して該当するクライアントに対する請求書を発行し、当該請求書を該当するクライアント側通信端末に上記ローカルネットワークを介して送付し、
上記メインサーバには、個人情報を除くクライアントが注文した商品またはサービスに係る情報のみを上記ネットワークを介して転送し、
上記メインサーバは、
上記ローカルサーバから送られてきて上記メインデータベースに登録された商品またはサービスの情報に基づいて生産管理のためのデータを提供し、かつ、受注履歴を集計して請求書を発行し、当該請求書を対応するローカル管理領域の上記ローカルサーバに上記ネットワークを介して送付する
受注管理システム。
【請求項２】
上記ローカルサーバが上記メインサーバに転送する情報には、注文品目と数量、および当該ローカルサーバのＩＤのみが含まれる
請求項１記載の受注管理システム。
【請求項３】
上記メインサーバとローカルサーバとは、複数の装置が接続可能なネットワークで接続され、
あらかじめ決められたローカルサーバとクライアント側通信端末とはローカルネットワークに接続されている
請求項１または２記載の受注管理システム。
【請求項４】
上記ローカルサーバは、あらかじめ決められた時間帯のみクライアントからの注文を受け付ける
請求項１から３のいずれか一に記載の受注管理システム。
【請求項５】
外部のオープンネットワークと、
内部の少なくとも一つのローカルネットワークと、
メインデータベースを有し、商品またはサービスの受注を受け付けるメインサーバと、
ローカルデータベースを有し、上記メインサーバと上記オープンネットワークを介して通信可能に接続され、あらかじめ決められた少なくとも一つのクライアントからの商品またはサービスの注文を受け付ける、内部に設けられた少なくとも一つのローカルサーバと、
あらかじめ決められたローカルサーバと所定の上記ローカルネットワークを介して通信可能に接続された少なくとも一つのクライアント側通信端末と、
を有し、
上記ローカルサーバは、
クライアント側通信端末から個人情報も含めて商品またはサービスの注文を受け付ける際、上記クライアント側通信端末から送信されて入力されるクライアントの個人情報が上記ローカルデータベースに登録されているか否かを判定し、登録されていない場合は未登録のクライアントとしてユーザ登録画面を出してユーザ登録により上記ローカルデータベースへの保管を行って、入力されるクライアントの個人情報を全て管理し、
クライアントからの注文の内容を上記ローカルデータベースに蓄積し、あらかじめ決められた時期に上記ローカルデータベースに蓄積された受注履歴を集計して該当するクライアントに対する請求書を発行し、当該請求書を該当するクライアント側通信端末に上記ローカルネットワークを介して送付し、
上記メインサーバには、個人情報を除くクライアントが注文した商品またはサービスに係る情報のみを上記ネットワークを介して転送し、
上記メインサーバは、
上記ローカルサーバから送られてきて上記メインデータベースに登録された商品またはサービスの情報に基づいて生産管理のためのデータを提供し、かつ、受注履歴を集計して請求書を発行し、当該請求書を対応するローカル管理領域の上記ローカルサーバに上記ネットワークを介して送付する
受注管理システム。
【請求項６】
上記ローカルサーバが上記メインサーバに転送する情報には、注文品目と数量、および当該ローカルサーバのＩＤのみが含まれる
請求項５記載の受注管理システム。
【請求項７】
上記ローカルサーバは、あらかじめ決められた時間帯のみクライアントからの注文を受け付ける
請求項５または６記載の受注管理システム。
【請求項８】
メインデータベースを有し、商品またはサービスの受注を受け付け、受け付けたデータを上記メインデータベースに登録するメインサーバと、
ローカルデータベースを有し、上記メインサーバとネットワークを介して通信可能に接続され、あらかじめ決められた少なくとも一つのクライアントからの商品またはサービスの注文を受け付ける少なくとも一つのローカルサーバと、
あらかじめ決められたローカルサーバとローカルネットワークを介して通信可能に接続された少なくとも一つのクライアント側通信端末と、
を有する受信管理システムの受信管理を行うに際し、
上記ローカルサーバは、
クライアント側通信端末から商品またはサービスの注文を受け付け、
上記クライアント側通信端末から送信されて入力されるクライアントの個人情報が上記ローカルデータベースに登録されているか否かを判定し、
登録されていない場合は未登録のクライアントとしてユーザ登録画面を出してユーザ登録により上記ローカルデータベースへの保管を行って、入力されるクライアントの個人情報を全て管理し、
クライアントからの注文の内容を上記ローカルデータベースに蓄積し、あらかじめ決められた時期に上記ローカルデータベースに蓄積された受注履歴を集計して該当するクライアントに対する請求書を発行し、当該請求書を該当するクライアント側通信端末に上記ローカルネットワークを介して送付し、
上記メインサーバには、個人情報を除くクライアントが注文した商品またはサービスに係る情報のみを上記ネットワークを介して転送し、
上記メインサーバは、
上記ローカルサーバから送られてきて上記メインデータベースに登録された商品またはサービスの情報に基づいて生産管理のためのデータを提供し、かつ、受注履歴を集計して請求書を発行し、当該請求書を対応するローカル管理領域の上記ローカルサーバに上記ネットワークを介して送付する
受注管理方法。
【請求項９】
上記ローカルサーバが上記メインサーバに転送する情報には、注文品目と数量、および当該ローカルサーバのＩＤのみが含まれる
請求項８記載の受注管理方法。
【請求項１０】
上記ローカルサーバは、あらかじめ決められた時間帯のみクライアントからの注文を受け付ける
請求項８または９記載の受注管理方法。
【請求項１１】
メインデータベースを有し、商品またはサービスの受注を受け付け、受け付けたデータを上記メインデータベースに登録するメインサーバと、
ローカルデータベースを有し、上記メインサーバとネットワークを介して通信可能に接続され、あらかじめ決められた少なくとも一つのクライアントからの商品またはサービスの注文を受け付ける少なくとも一つのローカルサーバと、
あらかじめ決められたローカルサーバとローカルネットワークを介して通信可能に接続された少なくとも一つのクライアント側通信端末と、
を有する受信管理システムの受信管理を行うに際し、
上記ローカルサーバが、
クライアント側通信端末から商品またはサービスの注文を受け付け、
上記クライアント側通信端末から送信されて入力されるクライアントの個人情報が上記ローカルデータベースに登録されているか否かを判定し、
登録されていない場合は未登録のクライアントとしてユーザ登録画面を出してユーザ登録により上記ローカルデータベースへの保管を行って、入力されるクライアントの個人情報を全て管理し、
クライアントからの注文の内容を上記ローカルデータベースに蓄積し、あらかじめ決められた時期に上記ローカルデータベースに蓄積された受注履歴を集計して該当するクライアントに対する請求書を発行し、当該請求書を該当するクライアント側通信端末に上記ローカルネットワークを介して送付し、
上記メインサーバには、個人情報を除くクライアントが注文した商品またはサービスに係る情報のみを上記ネットワークを介して転送し、
上記メインサーバは、
上記ローカルサーバから送られてきて上記メインデータベースに登録された商品またはサービスの情報に基づいて生産管理のためのデータを提供し、かつ、受注履歴を集計して請求書を発行し、当該請求書を対応するローカル管理領域の上記ローカルサーバに上記ネットワークを介して送付する
処理をコンピュータに実行させるプログラムを記録したコンピュータで読み取り可能な記録媒体。
【請求項１２】
上記ローカルサーバが上記メインサーバに転送する情報には、注文品目と数量、および当該ローカルサーバのＩＤのみが含まれる
請求項１１記載の記録媒体。
【請求項１３】
上記ローカルサーバは、あらかじめ決められた時間帯のみクライアントからの注文を受け付ける
請求項１１または１２記載の記録媒体。
【発明の詳細な説明】
【０００１】
【発明の属する技術分野】
本発明は、たとえばネットワーク経由で商品やサービスを受注する受注管理システムおよびその方法、並びに記録媒体に関するものである。
【０００２】
【従来の技術】
近年のコンピュータやインターネットの普及に伴い、ネットワーク経由で商品やサービスを受注することが増えてきた。
【０００３】
図５は、従来のネットワーク受注管理システムの構成例を示す構成図である。
このネットワーク受注システム１０は、商品またはサービスの受注を受ける、たとえばメーカー側のメインサーバ（受注装置）１１と、商品またはサービスを注文するクライアント側の複数の通信端末１２と、メインサーバ１１とクライアント側通信端末１２との情報の授受を媒介するネットワーク１３により構成されている。
【０００４】
本システム１０では、商品またはサービスを注文したクライアントは、所定の通信端末１２からネットワーク１３で接続された受注先のメインサーバ１１に直接アクセスして、発注する。
メインサーバ１１は、図示しないデータベースを有しており、商品またはサービスを注文を受け付ける際、最初にユーザー登録を行い、このときに入力する個人情報をすべて管理する。
【０００５】
【発明が解決しようとする課題】
ところが、上述した従来の受注管理システムでは、個人情報は受注先のメインサーバ１１ですべて管理されていたことから、個人情報が外のネットワーク上を流れ、個人情報が漏洩するおそれが高く、セキュリティの面で不安があった。
【０００６】
本発明は、かかる事情に鑑みてなされたものであり、その目的は、個人情報の漏洩を防止することができる受注管理システムおよびその方法、並びに記録媒体を提供することにある。
【０００７】
【課題を解決するための手段】
上記目的を達成するため、本発明の受注管理システムは、メインデータベースを有し、商品またはサービスの受注を受け付け、受け付けたデータを上記メインデータベースに登録するメインサーバと、ローカルデータベースを有し、上記メインサーバとネットワークを介して通信可能に接続され、あらかじめ決められた少なくとも一つのクライアントからの商品またはサービスの注文を受け付ける少なくとも一つのローカルサーバと、あらかじめ決められたローカルサーバとローカルネットワークを介して通信可能に接続された少なくとも一つのクライアント側通信端末と、を有し、上記ローカルサーバは、クライアント側通信端末から個人情報も含めて商品またはサービスの注文を受け付ける際、上記クライアント側通信端末から送信されて入力されるクライアントの個人情報が上記ローカルデータベースに登録されているか否かを判定し、登録されていない場合は未登録のクライアントとしてユーザ登録画面を出してユーザ登録により上記ローカルデータベースへの保管を行って、入力されるクライアントの個人情報を全て管理し、クライアントからの注文の内容を上記ローカルデータベースに蓄積し、あらかじめ決められた時期に上記ローカルデータベースに蓄積された受注履歴を集計して該当するクライアントに対する請求書を発行し、当該請求書を該当するクライアント側通信端末に上記ローカルネットワークを介して送付し、上記メインサーバには、個人情報を除くクライアントが注文した商品またはサービスに係る情報のみを上記ネットワークを介して転送し、上記メインサーバは、上記ローカルサーバから送られてきて上記メインデータベースに登録された商品またはサービスの情報に基づいて生産管理のためのデータを提供し、かつ、受注履歴を集計して請求書を発行し、当該請求書を対応するローカル管理領域の上記ローカルサーバに上記ネットワークを介して送付する。
【０００８】
また、本発明システムでは、上記メイン管理装置とローカル管理装置とは、複数の装置が接続可能なネットワークで接続され、あらかじめ決められたローカル管理装置とクライアント側通信端末とはローカルネットワークに接続されている。
【０００９】
また、本発明の受注管理システムは、外部のオープンネットワークと、内部の少なくとも一つのローカルネットワークと、メインデータベースを有し、商品またはサービスの受注を受け付けるメインサーバと、ローカルデータベースを有し、上記メインサーバと上記オープンネットワークを介して通信可能に接続され、あらかじめ決められた少なくとも一つのクライアントからの商品またはサービスの注文を受け付ける、内部に設けられた少なくとも一つのローカルサーバと、あらかじめ決められたローカルサーバと所定の上記ローカルネットワークを介して通信可能に接続された少なくとも一つのクライアント側通信端末と、を有し、上記ローカルサーバは、クライアント側通信端末から個人情報も含めて商品またはサービスの注文を受け付ける際、上記クライアント側通信端末から送信されて入力されるクライアントの個人情報が上記ローカルデータベースに登録されているか否かを判定し、登録されていない場合は未登録のクライアントとしてユーザ登録画面を出してユーザ登録により上記ローカルデータベースへの保管を行って、入力されるクライアントの個人情報を全て管理し、クライアントからの注文の内容を上記ローカルデータベースに蓄積し、あらかじめ決められた時期に上記ローカルデータベースに蓄積された受注履歴を集計して該当するクライアントに対する請求書を発行し、当該請求書を該当するクライアント側通信端末に上記ローカルネットワークを介して送付し、上記メインサーバには、個人情報を除くクライアントが注文した商品またはサービスに係る情報のみを上記ネットワークを介して転送し、上記メインサーバは、上記ローカルサーバから送られてきて上記メインデータベースに登録された商品またはサービスの情報に基づいて生産管理のためのデータを提供し、かつ、受注履歴を集計して請求書を発行し、当該請求書を対応するローカル管理領域の上記ローカルサーバに上記ネットワークを介して送付する。
【００１０】
また、本発明システムでは、上記ローカルサーバが上記メインサーバに転送する情報には、注文品目と数量、および当該ローカルサーバのＩＤのみが含まれる。
【００１２】
また、本発明システムでは、上記ローカルサーバは、あらかじめ決められた時間帯のみクライアントからの注文を受け付ける。
【００１４】
また、本発明の受注管理方法は、メインデータベースを有し、商品またはサービスの受注を受け付け、受け付けたデータを上記メインデータベースに登録するメインサーバと、ローカルデータベースを有し、上記メインサーバとネットワークを介して通信可能に接続され、あらかじめ決められた少なくとも一つのクライアントからの商品またはサービスの注文を受け付ける少なくとも一つのローカルサーバと、あらかじめ決められたローカルサーバとローカルネットワークを介して通信可能に接続された少なくとも一つのクライアント側通信端末と、を有する受信管理システムの受信管理を行うに際し、上記ローカルサーバは、クライアント側通信端末から商品またはサービスの注文を受け付け、上記クライアント側通信端末から送信されて入力されるクライアントの個人情報が上記ローカルデータベースに登録されているか否かを判定し、登録されていない場合は未登録のクライアントとしてユーザ登録画面を出してユーザ登録により上記ローカルデータベースへの保管を行って、入力されるクライアントの個人情報を全て管理し、クライアントからの注文の内容を上記ローカルデータベースに蓄積し、あらかじめ決められた時期に上記ローカルデータベースに蓄積された受注履歴を集計して該当するクライアントに対する請求書を発行し、当該請求書を該当するクライアント側通信端末に上記ローカルネットワークを介して送付し、上記メインサーバには、個人情報を除くクライアントが注文した商品またはサービスに係る情報のみを上記ネットワークを介して転送し、上記メインサーバは、上記ローカルサーバから送られてきて上記メインデータベースに登録された商品またはサービスの情報に基づいて生産管理のためのデータを提供し、かつ、受注履歴を集計して請求書を発行し、当該請求書を対応するローカル管理領域の上記ローカルサーバに上記ネットワークを介して送付する。
【００１５】
また、本発明方法では、上記ローカルサーバが上記メインサーバに転送する情報には、注文品目と数量、および当該ローカルサーバのＩＤのみが含まれる。
【００１７】
また、本発明方法では、あらかじめ決められた時間帯のみクライアントからの注文を受け付ける。
【００１９】
また、本発明の記録媒体は、メインデータベースを有し、商品またはサービスの受注を受け付け、受け付けたデータを上記メインデータベースに登録するメインサーバと、ローカルデータベースを有し、上記メインサーバとネットワークを介して通信可能に接続され、あらかじめ決められた少なくとも一つのクライアントからの商品またはサービスの注文を受け付ける少なくとも一つのローカルサーバと、あらかじめ決められたローカルサーバとローカルネットワークを介して通信可能に接続された少なくとも一つのクライアント側通信端末と、を有する受信管理システムの受信管理を行うに際し、上記ローカルサーバが、クライアント側通信端末から商品またはサービスの注文を受け付け、上記クライアント側通信端末から送信されて入力されるクライアントの個人情報が上記ローカルデータベースに登録されているか否かを判定し、登録されていない場合は未登録のクライアントとしてユーザ登録画面を出してユーザ登録により上記ローカルデータベースへの保管を行って、入力されるクライアントの個人情報を全て管理し、クライアントからの注文の内容を上記ローカルデータベースに蓄積し、あらかじめ決められた時期に上記ローカルデータベースに蓄積された受注履歴を集計して該当するクライアントに対する請求書を発行し、当該請求書を該当するクライアント側通信端末に上記ローカルネットワークを介して送付し、上記メインサーバには、個人情報を除くクライアントが注文した商品またはサービスに係る情報のみを上記ネットワークを介して転送し、上記メインサーバは、上記ローカルサーバから送られてきて上記メインデータベースに登録された商品またはサービスの情報に基づいて生産管理のためのデータを提供し、かつ、受注履歴を集計して請求書を発行し、当該請求書を対応するローカル管理領域の上記ローカルサーバに上記ネットワークを介して送付する処理をコンピュータに実行させるプログラムを記録したコンピュータで読み取り可能な記録媒体である。
【００２０】
また、本発明媒体は、上記ローカルサーバが上記メインサーバに転送する情報には、注文品目と数量、および当該ローカルサーバのＩＤのみが含まれる
【００２２】
また、本発明媒体では、あらかじめ決められた時間帯のみクライアントからの注文を受け付けるプログラムを提供する。
【００２４】
本発明によれば、商品またはサービスを注文したクライアントにより、所定の通信端末を使って、あらかじめ決められた（指定された）内部のローカルサーバに対して、たとえば内部のローカルネットワークを介し、個人情報を含めて所望の商品またはサービスの注文が行われる。
ローカルサーバでは、所定の管理対象となっているクライアントからの注文を受け付ける際、入力されるクライアントの個人情報は全て管理され、メインサーバには、クライアントが注文した商品またはサービスに係る情報のみがネットワークを介して転送される。具体的には、ローカルサーバからは、個人情報を除く、注文品目と数量、および当該ローカルサーバのＩＤ情報のみがメインサーバに転送される。
ローカルサーバでは、クライアント側通信端末から商品またはサービスを注文を受け付ける際、未登録のユーザに関してユーザ登録が行われる。
また、ローカルサーバでは、たとえばあらかじめ決められた時間帯のみクライアントからの注文の受け付が行われる。そして、たとえばクライアントからの注文の内容が蓄積されて集計され、あらかじめ決められた時期、たとえば月末等に該当するクライアントに対する請求書が発行されて、送付される。
以上のように、本発明によれば、個人情報は、ローカルサーバで管理され、ローカルなネットワークにしか流れず、外のオープンなネットワークを流れず、個人情報の漏洩が防止される。
【００２５】
【発明の実施の形態】
図１は、本発明に係るネットワーク受注管理システムの一実施形態を示すシステム構成図である。
【００２６】
このネットワーク受注管理システム２０は、図１に示すように、メイン管理装置としてのメインサーバ２１、少なくとも一つ（本実施形態では３）のたとえば特定の会社や部署からなる内部のローカル管理領域２２Ａ，２２Ｂ，２２Ｃ、およびメインサーバ２１と各ローカル管理領域２２Ａ，２２Ｂ，２２Ｃが接続された外部のオープンなメインネットワーク２３を有している。
【００２７】
メインサーバ２１は、ネットワーク２３を介して、各ローカル管理領域２２−１，２２−２，２２−３のいずれかから転送される個人情報を除く商品またはサービスに係る情報を受け付けて、図示しないデータベースに登録し、集計や生産管理、あるいは、発注先であるば特定の会社や部署からなるローカル管理領域２２Ａ，２２Ｂ，２２Ｃに対して、たとえば月末に請求書を発行し、送付する。
【００２８】
ローカル管理領域２２Ａは、ローカル管理装置としてのローカルサーバ２２１Ａと、ローカルサーバ２２１Ａにアクセスすることが可能なようにあらかじめ決められたクライアント（会社の社員、あるいは特定の部署の社員）用通信端末２２２Ａ−１〜２２２Ａ−４が専用のローカルネットワーク２２３Ａにより接続されている。
ローカルサーバ２２１Ａは、クライアント用通信端末２２２Ａ−１〜２２２Ａ−４のいずれかから商品またはサービスを注文を受け付ける際、入力されるクライアントの個人情報を全て管理し、ネットワーク２３を介して接続されるメインサーバ２１にはクライアントが注文した商品またはサービスに係る情報のみを転送する。具体的には、ローカルサーバ２２１Ａは、メインサーバ２１に対して、個人情報を除く、注文品目と数量、およびローカルサーバ２２１ＡのＩＤ（たとえば「Ａ」）のみを転送する。
また、ローカルサーバ２２１Ａは、クライアント用通信端末２２２Ａ−１〜２２２Ａ−４から商品またはサービスを注文を受け付ける際、未登録のユーザに関して図示しないデータベースにユーザ登録を行う。
また、ローカルサーバ２２１Ａは、あらかじめ決められた時間帯のみクライアント用通信端末２２２Ａ−１〜２２２Ａ−４からの注文を受け付ける。
また、ローカルサーバ２２１Ａは、クライアント用通信端末２２２Ａ−１〜２２２Ａ−４からの注文の内容を蓄積して集計し、あらかじめ決められた時期、たとえば月末に、クライアントに対する請求書を発行し、該当する通信端末２２２Ａ−１〜２２２Ａ−４に送付する。
【００２９】
ローカル管理領域２２Ｂは、ローカル管理装置としてのローカルサーバ２２１Ｂと、ローカルサーバ２２１Ｂにアクセスすることが可能なようにあらかじめ決められたクライアント（会社の社員、あるいは特定の部署の社員）用通信端末２２２Ｂ−１〜２２２Ｂ−３が専用のローカルネットワーク２２３Ｂにより接続されている。
ローカルサーバ２２１Ｂは、クライアント用通信端末２２２Ｂ−１〜２２２Ｂ−３のいずれかから商品またはサービスを注文を受け付ける際、入力されるクライアントの個人情報を全て管理し、ネットワーク２３を介して接続されるメインサーバ２１にはクライアントが注文した商品またはサービスに係る情報のみを転送する。具体的には、ローカルサーバ２２１Ｂは、メインサーバ２１に対して、個人情報を除く、注文品目と数量、およびローカルサーバ２２１ＢのＩＤ（たとえば「Ｂ」）のみを転送する。
また、ローカルサーバ２２１Ｂは、クライアント用通信端末２２２Ｂ−１〜２２２Ｂ−３から商品またはサービスを注文を受け付ける際、未登録のユーザに関して図示しないデータベースにユーザ登録を行う。
また、ローカルサーバ２２１Ｂは、あらかじめ決められた時間帯のみクライアント用通信端末２２２Ｂ−１〜２２２Ｂ−３からの注文を受け付ける。
また、ローカルサーバ２２１Ｂは、クライアント用通信端末２２２Ｂ−１〜２２２Ｂ−３からの注文の内容を蓄積して集計し、あらかじめ決められた時期、たとえば月末に、クライアントに対する請求書を発行し、該当する通信端末２２２Ｂ−１〜２２２Ｂ−３に送付する。
【００３０】
ローカル管理領域２２Ｃは、ローカル管理装置としてのローカルサーバ２２１Ｃと、ローカルサーバ２２１Ｃにアクセスすることが可能なようにあらかじめ決められたクライアント（会社の社員、あるいは特定の部署の社員）用通信端末２２２Ｃ−１〜２２２Ｃ−４が専用のローカルネットワーク２２３Ｃにより接続されている。
ローカルサーバ２２１Ｃは、クライアント用通信端末２２２Ｃ−１〜２２２Ｃ−４のいずれかから商品またはサービスを注文を受け付ける際、入力されるクライアントの個人情報を全て管理し、ネットワーク２３を介して接続されるメインサーバ２１にはクライアントが注文した商品またはサービスに係る情報のみを転送する。具体的には、ローカルサーバ２２１Ｃは、メインサーバ２１に対して、個人情報を除く、注文品目と数量、およびローカルサーバ２２１ＣのＩＤ（たとえば「Ｃ」）のみを転送する。
また、ローカルサーバ２２１Ｃは、クライアント用通信端末２２２Ｃ−１〜２２２Ｃ−４から商品またはサービスを注文を受け付ける際、未登録のユーザに関して図示しないデータベースにユーザ登録を行う。
また、ローカルサーバ２２１Ｃは、あらかじめ決められた時間帯のみクライアント用通信端末２２２Ｃ−１〜２２２Ｃ−４からの注文を受け付ける。
また、ローカルサーバ２２１Ｃは、クライアント用通信端末２２２Ｃ−１〜２２２Ｃ−４からの注文の内容を蓄積して集計し、あらかじめ決められた時期、たとえば月末に、クライアントに対する請求書を発行し、該当する通信端末２２２Ｃ−１〜２２２Ｃ−４に送付する。
【００３１】
次に、上記構成による動作を図２〜図４のフローチャートに関連付けて説明する。
なお、図２および図３は、ローカルサーバの動作を説明するためのフローチャートであり、図４は、メインサーバの動作を説明するためのフローチャートである。
なお、ここでは、ある会社に弁当を収めている弁当屋が弁当を受注する場合を例に説明する。
【００３２】
この場合、弁当屋がメインサーバ２１をもち、各会社、または、会社の各部署（たとえばローカル管理領域２２Ａ）にローカルサーバ２２１Ａが設置されている。
【００３３】
弁当を発注したい社員（クライアント）が、たとえば通信端末２２２Ａ−１によりローカルネットワーク２３Ａを介してローカルサーバ２２１Ａにアクセスする（ＳＴ１）。
ローカルサーバ２２１Ａにおいては、データベースにその社員の情報が登録されているか否かの判別が行われる（ＳＴ２）。
そして、登録されていない場合には、ユーザー登録画面を出し、ユーザー登録が行われ（ＳＴ３）、ローカルサーバ２２１Ａ上のデータベースに保管される（ＳＴ４）。
【００３４】
ローカルサーバ上のデータベースにその社員の情報があった場合、またはユーザ登録を終えた後、たとえば午前９時５０分〜午後０時までの時間内であるか否かの判別が行われる（ＳＴ５）。
【００３５】
そして、午前９時５０分〜午後０時までの時間であれば。その日の受け付けを締め切った旨が表示される（ＳＴ６）。
【００３６】
午前９時５０分〜午後０時までの時間以外の時間であれば、メニューを表示し、午前０時〜午前９時５０分ならば（ＳＴ７）、その日の受注を受け付け（ＳＴ８）、ローカルサーバ２２１Ａ上のデータベースに、日付、ユーザーＩＤ、メニューＩＤ、個数情報が保管される（ＳＴ９）。
また、午後０時以降は（ＳＴ７）、次の日の受注を受け付け（ＳＴ１０）、ローカルサーバ２２１Ａ上のデータベースに、日付、ユーザーＩＤ、メニューＩＤ、個数情報が保管される（ＳＴ１１）。
【００３７】
また、図３に示すように、ローカルサーバ２２１Ａにおいては、午前１０時に（ＳＴ１３）、自動的にそれぞれのメニューに対する受注の個数が集計され（ＳＴ１４）、メインサーバ２１にデータ（ローカルサーバＩＤ、メニューＩＤ、個数）が送付される（ＳＴ１５）。
【００３８】
また、ローカルサーバ２２１Ａにおいては、たとえば月末の場合、午前１０時３０分に（ＳＴ１６）、その月の受注履歴が集計され（ＳＴ１７）、各ユーザ（クライアント）弁当代の請求書がメールで発行される。（ＳＴ１８）。
【００３９】
そして、弁当屋のメインサーバ２１においては、図４に示すように、それぞれのローカルサーバ２２１Ａ〜２２１Ｃから送られてきたデータ（ローカルサーバＩＤ、メニューＩＤ、個数）がデータベースに保管される（ＳＴ１９，ＳＴ２０）。
また、メインサーバ２１においては、たとえば午前１０時１０分に（ＳＴ２１）、自動的にそれぞれのメニューに対する受注の個数が集計される（ＳＴ２２）。
そして、弁当屋では、たとえば午前８時３０分から弁当が生産され、午前１０時１０分以降は、この数字に基づいて生産調整が行われる（ＳＴ２３）。
そして、午前１１時に各会社または部署に弁当が配達される。
【００４０】
また、月末の場合、上述したように、ローカルサーバ２２１Ａ〜２２１Ｃでは、午前１０時３０分にその月の受注履歴が集計され、各ユーザーに弁当代の請求書がメールで発行される。
そして、メインサーバ２１においては、月末の場合、図４に示すように、午前１０時３０分に（ＳＴ２４）、その月の受注履歴が集計され（ＳＴ２５）、各会社または各部署宛ての請求書が発行される（ＳＴ２６）。
代金は、各会社または、部署でまとめて支払われる。
【００４１】
以上説明したように、本実施形態によれば、商品またはサービスの受注を受け付けるメインサーバ２１と、メインサーバ２１とネットワーク２３で接続され、あらかじめ決められたクライアントからの商品またはサービスの注文を受け付けるローカルサーバ２２１Ａ〜２２１Ｃと、あらかじめ決められたローカルサーバ２２１Ａ〜２２１Ｃとローカルネットワーク２２３Ａ〜２２３Ｃで接続されたクライアント用通信端末２２２Ａ−１〜２２２Ａ−４，２２２Ｂ−１〜２２２Ｂ−３，２２２Ａ−１〜２２２Ａ−４とを有し、ローカルサーバ２２１Ａ〜２２１Ｃはクライアント用通信端末から商品またはサービスを注文を受け付ける際、入力されるクライアントの個人情報を全て管理し、メインサーバ２１にはクライアントが注文した商品またはサービスに係る情報のみを転送するように構成したので、個人情報は、ローカルサーバで管理され、ローカルなネットワークにしか流れず、外のネットワークを流れない。
したがって、個人情報の漏洩を防止することができ、また、メインサーバ２１が管理する情報が少なくなるという利点がある。
【００４２】
なお、ローカルサーバの処理を行うためのプログラムは、ローカルサーバ（コンピュータ）で読み出し可能な記憶媒体、たとえばハードディスク、光ディスク、半導体記憶装置、フロッピーディスク等に、記録されており、適宜読み出されて各処理が実行される。
【００４３】
【発明の効果】
以上説明したように、本発明によれば、個人情報は、ローカル管理装置で管理され、ローカルなネットワークにしか流れず、外のネットワークを流れることがなくなり、個人情報の漏洩を防止することができる。
また、メイン管理装置（メインサーバ）が管理する情報が少なくなるという利点がある。
【図面の簡単な説明】
【図１】本発明に係るネットワーク受注管理システムの一実施形態を示すシステム構成図である。
【図２】本発明に係るローカル管理装置としてのローカルサーバの動作を説明するためのフローチャートである。
【図３】本発明に係るローカル管理装置としてのローカルサーバの動作を説明するためのフローチャートである。
【図４】本発明に係るメイン管理装置としてのメインサーバの動作を説明するためのフローチャートである。
【図５】従来の受注管理システムの一例を示すブロック構成図である。
【符号の説明】
１０，２０…ネットワーク受注管理システム、１１，２１…メインサーバ（メイン管理装置）、２２Ａ，２２Ｂ，２２Ｃ…ローカル管理領域、２２１Ａ〜２２１Ｃ…ローカルサーバ（ローカル管理装置）、１２，２２２Ａ−１〜２２２Ａ−４、２２２Ｂ−１〜２２２Ｂ−３、２２２Ｃ−１〜２２２Ｃ−４…クライアント用通信端末、２２３Ａ〜２２３Ｃ…ローカルネットワーク、１３，２３…ネットワーク。
【図１】
0004538927.tif 000002
【図２】
0004538927.tif 000003
【図３】
0004538927.tif 000004
【図４】
0004538927.tif 000005
【図５】
0004538927.tif 000006